(57)【要約】【課題】ファインバブルをより多く発生させる機構を備えたシャワーヘッドを提供する。【解決手段】シャワーヘッド１は、シャワー軸２と、ヘッド部３とを備える。シャワー軸２は、通水路２１と、通水路２１に設けられ、ファインバブルを発生させる、通水路２１よりも小さな流路断面積を有した開口部４１ａとを備える。ヘッド部３は、通水路２１と連通し、ファインバブルを発生させる貫通穴７１ａを有した固定部材７と、ファインバブルを発生させる噴霧ガイド９と、シャワー水を吐出するシャワー穴８５が形成された第一部分８１ａ、ミスト水を吐出するミスト穴８６が形成された第二部分８１ｂ、及びミスト穴８６と連通し、噴霧ガイド９を収容する収容部８４を有した散水板８と、固定部材７の貫通穴７１ａを通過した水がシャワー穴８５まで到達する流路と噴霧ガイド９を通ってミスト穴８６まで到達する流路とを切り替える切替機構と、を備える。【選択図】図１
2019129927.tif 000002
【特許請求の範囲】
【請求項１】
シャワー軸と、ヘッド部とを備え、シャワー水の吐出とミスト水の吐出とを切り替え可能なシャワーヘッドであって、
前記シャワー軸は、
通水路と、
前記通水路に設けられ、ファインバブルを発生させる、前記通水路よりも小さな流路断面積を有した狭窄部と、を備え、
前記ヘッド部は、
前記通水路と連通し、ファインバブルを発生させる貫通穴を有した固定部材と、
ファインバブルを発生させる噴霧ガイドと、
前記シャワー水を吐出するシャワー穴が形成された第一部分、前記ミスト水を吐出するミスト穴が形成された第二部分、及び前記ミスト穴と連通し、前記噴霧ガイドを収容する収容部を有した散水板と、
前記固定部材の貫通穴を通過した水が前記シャワー穴まで到達する流路と前記噴霧ガイドを通って前記ミスト穴まで到達する流路とを切り替える切替機構と、を備える、
ことを特徴とするシャワーヘッド。
【発明の詳細な説明】
【技術分野】
【０００１】
本発明は、ファインバブルを含む水を吐出することが可能なシャワーヘッドに関する。
【背景技術】
【０００２】
直径が１００μｍ以下の気泡はファインバブルと呼ばれている。ファインバブルを含む水は洗浄効果が高いことが知られている。ファインバルブを含む水を吐出することが可能なシャワーヘッドは例えば特許文献１及び２などに開示されている。また、シャワー水の吐出とミスト水の吐出とを切り替えることができるシャワーヘッドは特許文献３に開示されている。
【先行技術文献】
【特許文献】
【０００３】
【特許文献１】特開２０１７−０６３８３１号公報
【特許文献２】特開２０１６−０８７１４５号公報
【特許文献３】特開２０１３−２３６７９５号公報
【発明の概要】
【発明が解決しようとする課題】
【０００４】
ところで、水中にファインバブルを多く含むほど洗浄効果は高くなると考えられる。
【０００５】
本発明は上記課題に鑑みて成された発明であり、ファインバブルをより多く発生させる機構を備えたシャワーヘッドを提供することを目的とする。
【課題を解決するための手段】
【０００６】
本発明は、シャワー軸と、ヘッド部とを備え、シャワー水の吐出とミスト水の吐出とを切り替え可能なシャワーヘッドであって、
前記シャワー軸は、
通水路と、
前記通水路に設けられ、ファインバブルを発生させる、前記通水路よりも小さな流路断面積を有した狭窄部と、を備え、
前記ヘッド部は、
前記通水路と連通し、ファインバブルを発生させる貫通穴を有した固定部材と、
ファインバブルを発生させる噴霧ガイドと、
前記シャワー水を吐出するシャワー穴が形成された第一部分、前記ミスト水を吐出するミスト穴が形成された第二部分、及び前記ミスト穴と連通し、前記噴霧ガイドを収容する収容部を有した散水板と、
前記固定部材の貫通穴を通過した水が前記シャワー穴まで到達する流路と前記噴霧ガイドを通って前記ミスト穴まで到達する流路とを切り替える切替機構と、を備える、
ことを特徴とする。
【発明の効果】
【０００７】
本発明のシャワーヘッドにおいて、シャワー水は、ファインバブルを発生させる、シャワー軸の狭窄部及び固定部材の貫通穴を順に通過してシャワー穴から吐出される。よって、本発明のシャワーヘッドを使用すれば、多数のファインバブルを含むシャワー水を吐出させることができる。また、ミスト水は、ファインバブルを発生させる、シャワー軸の狭窄部、固定部材の貫通穴及び噴霧ガイドを順に通過してミスト穴から吐出される。よって、本発明のシャワーヘッドを使用すれば、多数のファインバブルを含むミスト水を吐出させることができる。
【図面の簡単な説明】
【０００８】
【図１】（ａ）はシャワーヘッドの前面図、（ｂ）はシャワー水吐出時の内部構造を示す（ａ）のＩｂ−Ｉｂ線断面図、（ｃ）は（ｂ）のＩｃ部分拡大図である。
【図２】（ａ）はシャワー水吐出時の内部構造を示す図１（ａ）のＩＩ−ＩＩ線断面図、（ｂ）はミスト水吐出時の内部構造を示す図１（ａ）のＩＩ−ＩＩ線断面図である。
【図３】散水板単体の後面図である。
【図４】噴霧ガイド単体の概略図である。
【図５】ヘッド部の後面図である。
【図６】（ａ）から（ｃ）はそれぞれ切替部材単体の後面図、正面図、前面図である。
【図７】（ａ）は従来技術（特許文献３）のシャワーヘッドのミスト穴からミスト水が吐出している状態を表す断面模式図であり、（ｂ）は本発明のシャワーヘッドのミスト穴からミスト水が吐出している状態を表す断面模式図である。
【発明を実施するための形態】
【０００９】
本発明について図面を参照しながら説明する。なお、以下で説明する実施形態は、いずれも本発明の好ましい一具体例を示すものである。本発明は、以下の実施形態に限定されず、その趣旨を逸脱しない範囲で適宜変更可能である。
【００１０】
本発明はシャワー水の吐出とミスト水の吐出とを切り替え可能なシャワーヘッド１である。シャワーヘッド１はシャワー軸２とヘッド部３とを備える。なお、ミスト水とはシャワー水よりも直径の小さい水滴から成る霧状の水のことである。以下では、説明の便宜上、図１（ｂ）の左及び右をそれぞれシャワーヘッド１の前及び後として説明する。図１（ａ）はシャワーヘッド１の前面図（前方から見た図）、（ｂ）はシャワー水吐出時の内部構造を示す（ａ）のＩｂ−Ｉｂ線断面図、（ｃ）は（ｂ）のＩｃ部分拡大図である。図２（ａ）はシャワー水吐出時の内部構造を示す図１（ａ）のＩＩ−ＩＩ線断面図、（ｂ）はミスト水吐出時の内部構造を示す図１（ａ）のＩＩ−ＩＩ線断面図である。
【００１１】
＜シャワー軸＞
図１（ａ）及び（ｂ）を参照してシャワー軸２について説明する。シャワー軸２は内部に空洞部を有しており、その空洞部は水が流れる通水路２１である。
【００１２】
シャワー軸２には、通水路２１の通水状態と止水状態とを切り替えるスイッチ４が取り付けられている。スイッチ４は、切替軸４１、止水弁４２、前ボタン４３及び後ボタン４４を備える。切替軸４１は、シャワー軸２の中心軸に対して略直交して配置され、シャワー軸２を貫通する長尺部材から成る。切替軸４１は、通水路２１を横切るように移動可能にシャワー軸２に取り付けられている。切替軸４１の両端には、それぞれ前ボタン４３及び後ろボタン４４が取り付けられている。切替軸４１の中央近傍には水が通る貫通穴４１ａが形成されている。通水路２１を塞ぐ止水弁４２は、貫通穴４１ａよりも前方の位置で、切替軸４１に取り付けられている。貫通穴４１ａの流路断面積は通水路２１のそれよりも小さくなっている。
【００１３】
通水状態（図１（ｂ）参照）のときには、前ボタン４３がシャワー軸２から前方に突出した状態である。切替軸４１の貫通穴４１ａは通水路２１と連通している。そのため、通水路２１を通る水は貫通穴４１ａを通ってヘッド部３まで流れる。通水状態から前ボタン４３をシャワー軸２に対して押し込むと、切替軸４１及び止水弁４２も共に押し込まれ、後ボタン４４がシャワー軸２から後方に突出する。この状態のとき、通水路２１は止水弁４２によって塞がれるため、ヘッド部３には水が流れなくなる。
【００１４】
＜ヘッド部＞
次に、図１から図６を参照してヘッド部について説明する。ヘッド部３は、外側カバー５、内側カバー６、固定部材７、散水板８、噴霧ガイド９、切替ハンドル１０、切替部材１１、及び切替クリック１２を備える。
【００１５】
［外側カバー及び内側カバー］
図１（ｂ）、図１（ｃ）、図２（ａ）及び図２（ｂ）を参照して、外側カバー５及び内側カバー６について説明する。外側カバー５は、シャワー軸２と一体的に形成されている。内側カバー６は、外側カバー５内に収容され且つ外側カバー５にネジにより固定されている。内側カバー６は、円形の第一壁部６１と、第一壁部６１の周縁全周から前方に立設する第二壁部６２とを備える。第二壁部６２の外周面には有底の筒部６３が一体的に形成されている。筒部６３の中空内部には筒部６３の底部から前方に延びる棒状の突起部６４が形成されている。この筒部６３内には切替クリック１２が収容されている。なお、切替クリック１２の詳細は後述する。第二壁部６２には、第二壁部６２を貫通し、通水路２１と連通する貫通穴６２ａが形成されている。
【００１６】
［固定部材］
図１（ｂ）、図２（ａ）及び図２（ｂ）を参照して固定部材７について説明する。固定部材７は、円形の第一壁部７１と、第一壁部７１の周縁全周から前方に立設する第二壁部７２と、第二壁部７２から径方向外側へ延びるフランジ部７３と、第一壁部７１の中央から前方に突出する軸部７４とを備える。
【００１７】
第一壁部７１は内側カバー６内に収容され、且つネジにより内側カバー６に固定される。固定部材７の第一壁部７１、並びに内側カバー６の第一壁部６１及び第二壁部６２によって囲まれる空間は、通水路２１からの水を貯留する貯留空間Ｓを形成する。第一壁部７１には、第一壁部７１を貫通し、貯留空間Ｓと連通する一つの円形の貫通穴７１ａが形成されている。この貫通穴７１ａの面積は第一壁部７１の面積と比較して十分小さい。貫通穴７１ａの周囲には、所定の厚みのシール部材７５（本実施形態ではパッキン）が取り付けられている。シール部材７５は貫通穴７１ａと略同一の直径を有する円形の貫通穴７５ａを有している。貫通穴７１ａと貫通穴７５ａとは整合し、且つ連通している。通水路２１から貯留空間Ｓに流入した水は貫通穴７１ａ及び貫通穴７５ａを通って貯留空間Ｓ外へ排出される。
【００１８】
第二壁部７２は、第一壁部７１から延びる第一部分７２ａと、第一部分７２ａに一体的に接続された第二部分７２ｂとを有する。第一部分７２ａの外周面にはシール部材７６（本実施形態ではＯリング）が取り付けられている。第一部分７２ａは内側カバー６の第二壁部６２の内側に収容され、シール部材７６は内側カバー６の第二壁部６２の内周面に当接する。第二部分７２ｂの外周面にはシール部材７７（本実施形態ではパッキン）が取り付けられている。第二部分７２ｂは後述する切替ハンドル１０の貫通穴に収容され、シール部材７７は切替ハンドル１０の貫通穴の内周面に当接する。
【００１９】
フランジ部７３は切替ハンドル１０の貫通穴周縁の前方端面上に配置されている。
【００２０】
軸部７４は後述する切替部材１１の凹部１１２ｃ内に回転可能に収容されている。
【００２１】
［散水板及び噴霧ガイド］
図１（ｂ）、図２（ａ）、図２（ｂ）及び図３を参照して、散水板８について説明する。図３は散水板８単体の後面図（後方から見た図）である。散水板８は、前方側の面（外面）及び前方側の面とは反対側の後方側の面を有する円形の第一壁部８１と、第一壁部８１の周縁全周から後方に立設する第二壁部８２と、第二壁部８２よりも径方向内側に形成され、第二壁部８２と同方向に立設する円筒状の第三壁部８３と、第二壁部８２と第三壁部８３との間の空間に、周方向に間隔をあけて形成された複数の筒部８４とを備える。散水板８の中心軸は固定部材７の中心軸と同じである。
【００２２】
第一壁部８１のうち、第三壁部８３よりも径方向内側の領域である第一部分８１ａには、第一壁部８１を貫通する複数のシャワー穴８５が形成されている。シャワー穴８５を通過した水はシャワー水として吐出される。第一壁部８１のうち、第二壁部８２と第三壁部８３との間の周方向の領域である第二部分８１ｂには、第一壁部８１を貫通する複数のミスト穴８６が周方向に間隔をあけて形成されている。ミスト穴８６を通過した水はミスト水として吐出される。ミスト穴８６は筒部８４の数と同数形成され、各ミスト穴８６は各筒部８４の略中心に形成されており、一つの筒部８４の中空内部に対して一つのミスト穴８６が連通している。
【００２３】
第一壁部８１の前方側の面において、シャワー穴８５が形成された第一部分８１ａは略平坦面である。一方、ミスト穴８６が形成された第二部分８１ｂは第一部分８１ａよりも前方に突出した凸曲面状に形成されている。ミスト穴８６は凸曲面状の第二部分８１ｂの頂部を中心として形成されている。
【００２４】
第二壁部８２は、第一壁部８１から延びる第一部分８２ａと、第一部分８２ａと一体的に接続された第二部分８２ｂとを有する。第一部分８２ａの外周面にはシール部材８７（本実施形態ではＯリング）が取り付けられている。第二部分８２ｂの外周面には、後述する切替ハンドル１０の第一部分１０２ａの雌ネジと螺合する雄ネジが形成されている。散水板８は、その雄ネジが切替ハンドル１０の雌ネジと螺合することにより切替ハンドル１０に取り付けられ、切替ハンドル１０と共に回転する。散水板８が切替ハンドル１０に取り付けられた状態において、シール部材８７は切替ハンドル１０の第二部分１０２ｂの内周面と当接する。
【００２５】
図４を参照して噴霧ガイド９について説明する。図４は噴霧ガイド９の概略図である。噴霧ガイド９は、円柱状の噴霧ガイド本体９１を備え、噴霧ガイド本体９１の外周面には螺旋溝（ネジ溝）９２が形成されている。噴霧ガイド本体９１は筒部８４内に収容されている（図１（ｂ）など参照）。螺旋溝９２のピッチ及び螺旋の傾斜角度などは、螺旋溝９２を通過する水の中にファインバブルが発生可能であるよう設計されている。一例として、噴霧ガイド本体９１は、直径：３．３５ｍｍ、高さ：４ｍｍであり、螺旋溝９２は、Ｐ２．４（ピッチ：２．４ｍｍ）、傾斜角度：２１．２４°の２条ネジである。本実施形態では、複数の噴霧ガイド本体９１（図４では４つ）の端部が連結部９３によって繋がれ、ユニット化されている。連結部９３は樹脂製の柔軟な材料から構成されている。これにより、連結部９３が屈曲可能になり、噴霧ガイド９を筒部８４内に収容する作業が容易になる。
【００２６】
［切替ハンドル、切替部材及び切替クリック］
切替ハンドル１０、切替部材１１及び切替クリック１２は、シャワー水の吐出とミスト水の吐出とを切り替えるための切替機構を構成する。図１（ｂ）、図２（ａ）、図２（ｂ）及び図５を参照して切替ハンドル１０について説明する。切替ハンドル１０は、前方側の面及び前方側の面とは反対側の後方側の面を有する円形の第一壁部１０１と、第一壁部１０１の周縁全周から前方に立設する第二壁部１０２とを備える。切替ハンドル１０は固定部材７のフランジ部７３によって固定部材７から外れないようになっている。切替ハンドル１０の中心軸は固定部材７の中心軸と同じであり、切替ハンドル１０は固定部材７に対して回転可能となっている。
【００２７】
第一壁部１０１の中央には、第一壁部１０１を貫通する貫通穴が形成されている。この貫通穴には固定部材７が挿入されている。前記の通り、第一壁部１０１の貫通穴の内周面には、固定部材７の第二部分７２ｂに取り付けられたシール部材７７が当接している。第一壁部１０１の前方側の面には、後述する切替部材１１の複数の被係合部１１６（本実施形態ではスリット）とそれぞれ係合する複数の係合部（不図示。本実施形態ではスリットに挿入される板状の突起）が周方向に所定間隔あけて形成されている。
【００２８】
第二壁部１０２は、第一壁部１０１から延びる第一部分１０２ａと、第一部分１０２ａに一体的に接続された第二部分１０２ｂとを有する。第一部分１０２ａの内周面には、散水板８の雄ネジと螺合する雌ネジが形成されている。一方、第二部分１０２ｂの内周面は滑らかな面であり、雌ネジは形成されていない。前記の通り、第二部分１０２ｂの内周面は、散水板８の第一部分８２ａに取り付けられたシール部材８７と当接する。
【００２９】
図５はヘッド部３の後面図である。第一壁部１０１の後方側の面には、切替クリック１２が移動する有底の溝１０３が形成されている。溝１０３は周方向に所定の長さで延び、その周方向端部である第一端部１０４及び第二端部１０５を備える。図１（ｃ）及び図５に示すように、溝１０３の第一端部１０４及び第二端部１０５にはそれぞれ有底の凹部１０６が形成されている。この凹部１０６の深さは、溝１０３のそれ以外の部分の深さよりも深くなっている。
【００３０】
図１（ｂ）、図２（ａ）、図２（ｂ）及び図６（ａ）から（ｃ）を参照して、切替部材１１について説明する。図６（ａ）から（ｃ）はそれぞれ、切替部材１１単体の後面図（後方側から見た図）、正面図、及び前面図（前方側から見た図）である。切替部材１１は、前方側の面及び前方側の面とは反対側の後方側の面を有する円形の切替本体１１１と、切替本体１１１の後方側の面の中央から後方に突出する中央突出部１１２と、切替本体１１１の周縁よりも径方向内側に形成され、切替本体１１１の前方側の面から前方に突出する円筒状の壁部１１３とを備える。切替本体１１１の中心軸は固定部材７の中心軸と同じである。
【００３１】
切替本体１１１の外周面にはシール部材１１４（本実施形態ではＯリング）が取り付けられている。切替本体１１１は散水板８の第二壁部８２の第二部分８２ｂ内側に収容され、シール部材１１４は第二部分８２ｂの内周面に当接している。切替本体１１１の周縁近傍には、切替本体１１１を貫通する貫通穴１１１ａが形成されている。切替本体１１１の後方側の面には貫通穴１１１ａを覆う金属製のメッシュ１１５が取り付けられている。貫通穴１１１ａは、図６（ｃ）に示すように、切替本体１１１の前方側の面から見たとき壁部１１３よりも径方向外側に位置している。さらに、貫通穴１１１ａは、散水板８の第三壁部８３直上から径方向外側にかけて配置されている（図２（ｂ）参照）。切替本体１１１の周縁には、複数の被係合部１１６（本実施形態では切替本体１１１の周縁から後方に延びる突起に形成されたスリット）が周方向に間隔をあけて形成されており、この被係合部１１６は切替ハンドル１０の係合部と係合している。これにより、切替部材１１は切替ハンドル１０と共に回転可能となっている。
【００３２】
中央突出部１１２は固定部材７の第二壁部７２の内側に収容されている。中央突出部１１２は、切替本体１１１から後方に立設する側面１１２ａと、切替本体１１１と略平行の端面１１２ｂとを有する。端面１１２ｂの中央には、固定部材７の軸部７４が嵌合する凹部１１２ｃが形成されている。凹部１１２ｃよりも径方向外側の位置には、中央突出部１１２を貫通する円形の貫通穴１１２ｄが形成されている（図２（ａ）及び図６（ａ）参照）。貫通穴１１２ｄから周方向に離間した位置には、中央突出部１１２を貫通しない円形の開口部１１２ｅが形成されている（図２（ｂ）及び図６（ａ）参照）。貫通穴１１２ｄ及び開口部１１２ｅの直径は固定部材７の貫通穴７１ａの直径と略同じである。側面１１２ａには、開口部１１２ｆが形成されている。開口部１１２ｆは、端面１１２ｂに形成された開口部１１２ｅと連通している。
【００３３】
図２（ａ）及び（ｂ）に示すように、中央突出部１１２の貫通穴１１２ｄ又は開口部１１２ｅの一方は、固定部材７の貫通穴７１ａ及びシール部材７５の貫通穴７５ａと整合し、且つ連通する。なお、図２（ａ）では貫通穴１１２ｄと貫通穴７１ａとが連通した状態を示し、図２（ｂ）では開口部１１２ｅと貫通穴７１ａとが連通した状態を示している。端面１１２ｂのうち、貫通穴１１２ｄ及び開口部１１２ｅの周辺の面は、シール部材７５に当接する。切替ハンドル１０を回転させることにより切替部材１１も回転して、切替本体１１１の貫通穴１１２ｄ又は開口部１１２ｅの他方が、固定部材７の貫通穴７１ａ及びシール部材７５の貫通穴７５ａと整合し且つ連通するようになる。
【００３４】
壁部１１３の外周面にはシール部材１１７（本実施形態ではＯリング）が取り付けられている。壁部１１３は、散水板８の第三壁部８３の内側に収容され、シール部材１１７は散水板８の第三壁部８３の内周面に当接している。
【００３５】
図１（ｃ）及び図５を参照して、切替クリック１２について説明する。図１（ｃ）に示すように、切替クリック１２は、中空の切替クリック本体１２１と、切替クリック本体１２１の中空内部に挿入されたバネ１２２とを備える。バネ１２２の内部には突起部６４が挿通されている。切替クリック１２は筒部６３内において、前後方向（すなわち、筒部６３の軸方向）に可動となっている。バネ１２２は圧縮バネであり、切替クリック本体１２１を凹部１０６及び溝１０３の底面に向けて付勢している。
【００３６】
切替ハンドル１０を回転させることにより、切替クリック１２は第一端部１０４と第二端部１０５との間で溝１０３内を走行する。切替クリック１２が溝１０３の第一端部１０４に位置しているとき、図２（ａ）に示すように、固定部材７の貫通穴７１ａと切替部材１１の貫通穴１１２ｄとが連通する。図２（ａ）の状態から、切替クリック１２が第二端部１０５に到達するまで切替ハンドル１０を回転させると、図２（ｂ）に示すように、固定部材７の貫通穴７１ａと切替部材１１の開口部１１２ｅとが連通する。前記の通り、切替ハンドル１０の回転に伴い切替部材１１及び散水板８も回転する。なお、シャワーヘッド１の使用時には、通常、使用者がシャワー軸２を把持した状態で切替ハンドル１０を回転させる。したがって、使用者からは、切替クリック１２が移動するのではなく、溝１０３を有した切替ハンドル１０が切替クリック１２に対して移動しているように見える。
【００３７】
切替クリック１２が溝１０３の第一端部１０４又は第二端部１０５まで到達すると、切替クリック本体１２は凹部１０６内に落ち込み、凹部１０６の底面と当接する。切替クリック１２が凹部１０６の底面と当接することにより、カチッという音が鳴ると共にクリック感が得られる。切替クリック１２が第一端部１０４に位置しているとき切替ハンドル１０はそれ以上第一端部１０４方向に回転させることができず、同様に切替クリック１２が第二端部１０５に位置しているとき、切替ハンドル１０はそれ以上第二端部１０５方向に回転させることはできない。
【００３８】
図２（ａ）の状態では、貯留空間Ｓ内の水は、固定部材７の貫通穴７１ａ、シール部材７５の貫通穴７５ａ及び切替部材１１の貫通穴１１２ｄを順に通過し、散水板８の第三壁部８３の内側空間に入る（図２（ａ）において、水の流れる流路を矢印で示している）。そして、水はシャワー穴８５からシャワー水として吐出される。
【００３９】
図２（ｂ）の状態では、貯留空間Ｓ内の水は、固定部材７の貫通穴７１ａ、シール部材７５の貫通穴７５ａ、切替部材１１の開口部１１２ｅ、開口部１１２ｆ、貫通穴１１１ａを順に通過し、筒部８４内に入る（図２（ｂ）において、水の流れる流路を矢印で示している）。そして、筒部８４内に収容された噴霧ガイド９を通過して、ミスト穴８６からミスト水として吐出される。
【００４０】
このように、切替ハンドル１０を回転させ、固定部材７に対して切替部材１１を回転させることにより、水が貯留空間Ｓからシャワー穴８５まで到る流路とミスト穴８６まで到る流路とを切り替え、シャワー水の吐出とミスト水の吐出とを切り替えることができる。
【００４１】
［作用効果］
以下では、シャワーヘッド１の作用効果について説明する。まず、シャワー水を吐出する場合について説明する。貫通穴４１ａの流路断面積は通水路２１のそれよりも小さくなっているため、貫通穴４１ａを通る際に水の流速は速くなり、圧力は低下する。これにより、キャビテーションが起こり、水中にファインバブルが発生する。
【００４２】
貫通穴４１ａを通過した水は内側カバー６の貫通穴６２ａを通って貯留空間Ｓに流入する。貯留空間Ｓに流入した水は固定部材７の貫通穴７１ａを通って貯留空間Ｓから排出される。貫通穴７１ａの開口面積は第一壁部７１の面積よりも小さいため、貫通穴７１ａを通過する際にも、水の流速は速くなり圧力は低下する。これにより、キャビテーションが起こり、水中にファインバブルが発生する。
【００４３】
このように、シャワーヘッド１では、シャワー水を吐出させる場合に、水を二つのファインバブル発生部（貫通穴４１ａ及び貫通穴７１ａ）を通過させるため、シャワー水中に多数のファインバブルを含ませることができる。
【００４４】
次に、ミスト水を吐出する場合について説明する。前記の通り、貫通穴４１ａ及び貫通穴７１ａを通過した水の中にはファインバブルが発生する。
【００４５】
散水板８の筒部８４内には噴霧ガイド９が収容されているため、筒部８４内に流入した水は噴霧ガイド９の螺旋溝９２によって旋回されて水の流速は速くなり圧力は低下する。これにより、キャビテーションが起こり、水中にファインバブルが発生する。
【００４６】
このように、シャワーヘッド１では、ミスト水を吐出させる場合に、水を三つのファインバブル発生部（貫通穴４１ａ、貫通穴７１ａ及び噴霧ガイド９）を通過させるため、ミスト水中に多数のファインバブルを含ませることができる。
【００４７】
切替クリック１２が第一端部１０４及び第二端部１０５に配置されたとき、カチッという音と共にクリック感が得られるため、使用者は切り替えが完了したことを知ることができる。
【００４８】
ミスト穴８６は散水板８の凸曲面状の第二部分８１ｂに形成されている。この作用効果を図７（ａ）及び（ｂ）を参照して説明する。図７（ａ）は従来技術（特許文献３）のシャワーヘッドのミスト水流吐出穴Ｈからミスト水が吐出している状態を表す模式図であり、（ｂ）は本発明のシャワーヘッド１のミスト穴８６からミスト水が吐出している状態を表す模式図である。図７（ｂ）では噴霧ガイド９は省略している
【００４９】
図７（ａ）に示すように、従来のシャワーヘッドでは、ミスト水流吐出穴Ｈは頂部よりも奥まった平坦部Ｉに形成されると共に隆起した周壁Ｊによって囲まれている。これにより、ミスト水流吐出穴Ｈから吐出されるミスト水の方向は周壁Ｊの内周面によって規制され、広範囲に広がらず直線的に吐出されると予想される。これに対し、本発明のシャワーヘッド１では、ミスト穴８６は凸曲面の頂部に形成されているため、図７（ｂ）に示すようにミスト水を広範囲に吐出させることができる。
【符号の説明】
【００５０】
１        シャワーヘッド
２        シャワー軸
２１      通水路
３        ヘッド部
４        スイッチ
４１ａ    貫通穴（狭窄部）
７        固定部材
７１ａ    貫通穴
８        散水板
８１ａ    第一部分
８１ｂ    第二部分
８４      筒部（収容部）
８５      シャワー穴
８６      ミスト穴
９        噴霧ガイド
１０      切替ハンドル（切替機構の一部）
１１      切替部材（切替機構の一部）
１２      切替クリック（切替機構の一部）
【図１】
2019129927.tif 000003
【図２】
2019129927.tif 000004
【図３】
2019129927.tif 000005
【図４】
2019129927.tif 000006
【図５】
2019129927.tif 000007
【図６】
2019129927.tif 000008
【図７】
2019129927.tif 000009